(57)【特許請求の範囲】
【請求項１】
容器本体に挿入され容器本体内の溶液を容器本体外に吸い出すポンプユニットにおいて、容器本体内に挿入される吸い込みパイプと、この吸い込みパイプの上部に連通接続した延び方向に復帰可能な蛇腹状のベローズと、ベローズの上部に連通接続してベローズを伸縮させ、前記吸い込みパイプを介して容器本体内の液を容器本体外に吸い出すピストン部とを備え、前記ベローズの上流に容器本体内からベローズ内への液の流入のみを許容する吸い込み弁を設け、前記ピストン部をピストン本体とベローズの圧縮方向に所定ストローク移動可能に装着されたサブピストンとで構成し、ピストン部によるベローズ圧縮動作に先立ってサブピストンがピストン本体に対して所定ストローク移動した場合にピストン部内の吐出流路を開放する連通孔を設け、前記ピストン本体とサブピストンとの間に前記連通孔を閉塞する方向に両者を付勢する付勢部材を設けたことを特徴とするポンプユニット。
【請求項２】
前記ピストン本体は、ベローズの上部に連通接続して容器本体の口部に保持されるパイプ状のシャフトケースと、シャフトケースの上部側に該シャフトケースに対して移動可能に内挿されたパイプ状のピストンシャフトと、前記サブピストンの上端部に連通接続したピストンヘッドとを備え、前記シャフトケースとピストンシャフトとの間に、シャフトケースからピストンシャフトを引き出した状態で係止させる係止部を設け、前記ピストンヘッドに、前記容器本体の口部に係合してここに固定される係合部を設けたことを特徴とする請求項１記載のポンプユニット。
【請求項３】
前記係止部が係止解除可能に構成されていることを特徴とする請求項２記載のポンプユニット。
【請求項４】
前記ピストン本体は、ベローズの上部に連通接続して容器本体の口部に保持されるパイプ状のシャフトケースを備え、容器本体の口部には、前記シャフトケースを保持するブッシュキャップが被着され、
前記ブッシュキャップには、容器本体の口部内に配置される内筒部の下端部に傾斜面が設けられ、
前記シャフトケースには、前記内筒部の傾斜面に対し離間可能に当接するシール突起が設けられていることを特徴とする請求項１〜請求項３のいずれかに記載のポンプユニット。
【請求項５】
前記請求項１〜請求項４のいずれかに記載のポンプユニットを備えたことを特徴とする容器。
【発明の詳細な説明】
【０００１】
【発明の属する技術分野】
この発明は、例えば、家庭で使用される洗髪剤等のポンプ式容器に用いられるポンプユニット及び容器に関するものである。
【０００２】
【従来の技術】
従来、例えば家庭で使用される洗髪剤や洗剤等を収容するための容器として、ポンプ式の容器が使用されている。このポンプ式の容器は、容器本体とこの容器本体に着脱可能に挿入されるポンプユニットとから構成されている。ポンプユニットは、通常ピストン部を押圧すると、ピストン部が復帰して液を容器本体から吸い上げ、次にピストン部を押すとピストン部の吐出口から液を出すようになっている。
【０００３】
この種のポンプユニットとしては、例えば、特開平１０−１０１１１５号公報、特開平１０−２１１９４７号公報に示されているように、ピストン部を押圧すると縮小する蛇腹管が手を離すと再び伸張する復帰動作を利用して液を蛇腹管内に吸い上げ、更にピストン部を押圧することで蛇腹管を縮小させて蛇腹管内の液を吐出口から出すものがある。そして、このようなピストンの押圧動作、復帰動作に応じて蛇腹管内に液を導き、あるいは、蛇腹管内から液を吐出するために蛇腹管の上流側と下流側とに吸い込み弁と吐出弁とを設けるようにしている。
【０００４】
【発明が解決しようとする課題】
しかしながら、上記従来のポンプユニットにおいては、容器が転倒した場合に、吸い込み弁や吐出弁が開いてしまうと吐出口から液が外部に流れ出てしまうという問題がある。このような問題を解決するために、従来は吸い込み弁と吐出弁の少なくとも一方を、スリット部を設けた板状の弁として構成し、容器転倒時において流れ出ようとする液をスリット部で最小限に食い止めるようにしているが、このようにするとスリット部における液の流通抵抗が大きくなり操作性が悪化するという問題がある。
そこで、この発明は転倒時における液の流出を確実に防止できると共に操作性を向上できるポンプユニット及び容器を提供するものである。
【０００５】
【課題を解決するための手段】
上記課題を解決するために、請求項１に記載した発明は、容器本体（例えば、実施形態における容器本体１２）に挿入され容器本体内の溶液を容器本体外に吸い出すポンプユニット（例えば、実施形態におけるポンプユニット１０）において、容器本体内に挿入される吸い込みパイプ（例えば、実施形態における吸い込みパイプ２１）と、この吸い込みパイプの上部に連通接続した延び方向に復帰可能な蛇腹状のベローズ（例えば、実施形態におけるベローズ２２）と、ベローズの上部に連通接続してベローズを伸縮させ、前記吸い込みパイプを介して容器本体内の液を容器本体外に吸い出すピストン部（例えば、実施形態におけるシャフトケース１６、ピストンヘッド２０、ピストンシャフト２８、サブピストン３３）とを備え、前記ベローズの上流に容器本体内からベローズ内への液の流入のみを許容する吸い込み弁（例えば、実施形態における吸い込み弁２３）を設け、前記ピストン部をピストン本体（シャフトケース１６、ピストンヘッド２０、ピストンシャフト２８）とベローズの圧縮方向に所定ストローク移動可能に装着されたサブピストンとで構成し、ピストン部によるベローズ圧縮動作に先立ってサブピストンがピストン本体に対して所定ストローク（例えば、実施形態における所定ストロークＨ）移動した場合にピストン部内の吐出流路を開放する連通孔（例えば、実施形態における連通孔２８ｂ）を設け、前記ピストン本体とサブピストンとの間に前記連通孔を閉塞する方向に両者を付勢する付勢部材（例えば、実施形態における付勢部材３４）を設けたことを特徴とする。
【０００６】
このように構成することで、ベローズ内に液がない状態でサブピストンが押圧されるとベローズの圧縮に先立ってサブピストンがピストン本体に対してスライドし連通孔を開放する。この状態で、更に押圧されるピストン部によりベローズが圧縮されるとベローズ内の空気は圧縮され吸い込み弁は閉じるのでベローズ内の空気は前記連通孔を経て吐出流路から容器本体外に吐き出される。
そして、サブピストンを放すと付勢部材によりサブピストンがピストン本体に対して復帰し連通孔を閉鎖すると共に圧縮が解除されたベローズが延び方向に復帰するためベローズ内は負圧になる。すると、吸い込み弁は開いて容器本体内からべローズ内へと液が吸い込まれベローズ内に満たされる。
次に、再度サブピストンが押圧されるとベローズの圧縮に先立ってサブピストンがピストン本体に対しスライドして連通孔が開放され、更に押圧されるピストン部によりベローズが圧縮されるため吸い込み弁により容器本体内への逆流を阻止された液は開放された連通孔を経て吐出流路から容器本体外に吐き出される。
【０００７】
請求項２に記載した発明は、前記ピストン本体は、ベローズの上部に連通接続して容器本体の口部（例えば、実施形態における口部１２ａ）に保持されるパイプ状のシャフトケースと、シャフトケースの上部側に該シャフトケースに対して移動可能に内挿されたパイプ状のピストンシャフトと、前記サブピストンの上端部に連通接続したピストンヘッドとを備え、前記シャフトケースとピストンシャフトとの間に、シャフトケースからピストンシャフトを引き出した状態で係止させる係止部（例えば、実施形態におけるネジ部３１，３２）を設け、前記ピストンヘッドに、前記容器本体の口部に係合してここに固定される係合部（例えば、実施形態における雌ねじ部２０ａ）を設けたことを特徴とする。
【０００８】
このように構成することで、ピストン本体のシャフトケースの内部にピストンシャフトを挿入し、ピストンヘッドの係合部を容器本体の口部に係合してピストンシャフトが突出しないようにすることができ、使用に際してはピストンシャフトをシャフトケースに対して引き出し係止部により両者を係止することができる。また、このようにピストンシャフトをシャフトケースに挿入している場合にピストンシャフトの押し込み動作はベローズに何ら圧縮方向の力を付与しない。
【０００９】
請求項３に記載した発明は、前記係止部が係止解除可能に構成されていることを特徴とする。
このように構成することで、係止部によるシャフトケースとピストンシャフトとの係止状態を解除することで、ピストンシャフトをシャフトケース内に挿入することができる。
請求項４に記載した発明は、前記ピストン本体は、ベローズの上部に連通接続して容器本体の口部に保持されるパイプ状のシャフトケースを備え、容器本体の口部には、前記シャフトケースを保持するブッシュキャップが被着され、前記ブッシュキャップには、容器本体の口部内に配置される内筒部の下端部に傾斜面が設けられ、前記シャフトケースには、前記内筒部の傾斜面に対し離間可能に当接するシール突起が設けられていることを特徴とする。
このように構成することで、傾斜面にシャフトケースのシール突起が当接することにより、ブッシュキャップの内周面とシャフトケース外周面との間からの空気の漏れを遮断することが可能になる。また、シャフトケースが下がると前記ブッシュキャップの傾斜面とシャフトケースのシール突起との当接が解除されるように構成すれば、ブッシュキャップの内周面とシャフトケース外周面との間からの空気の出入りが確保される。さらに、例えば容器本体に外圧が作用した場合には内筒部がシール突起に押し付けられるため、漏れが確実に防止される。
【００１０】
請求項５に記載した発明は、前記請求項１〜請求項４のいずれかに記載のポンプユニットを備えた容器である。
このように構成することで、容器が転倒したとしても、サブピストンとピストン本体とがスライドしない限り連通孔は開放されないため内部の液が外部に漏れ出すのを防止できる。
【００１１】
【発明の実施の形態】
以下、本発明の実施形態に係るポンプユニット及び容器を詳説する。
図１は、本発明のポンプユニットを備えた容器の一実施形態を示すものであり、図１中符号１０はポンプユニット、１１は容器である。容器１１は、液状の洗髪剤などが収容される容器本体１２に、ポンプユニット１０が取り付けられて構成されたものである。
【００１２】
この容器本体１２は、合成樹脂で成形された有底筒状のもので、上部の口部１２ａの外周に雄ねじ部１３を形成したものである。口部１２ａには、雄ねじ部１３に螺合する雌ねじ部１４を備えた合成樹脂製のブッシュキャップ１５が着脱自在に被着されており、このブッシュキャップ１５が被着されることにより、ポンプユニット１０が容器本体１２に取り付けられるようになっている。ブッシュキャップ１５は、前記雌ねじ部１４を形成した外筒部１５ａと、容器本体１２の口部１２ａ内に挿通されて取り付けられる内筒部１５ｂとを有したもので、内筒部１５ｂの孔（図示せず）が容器本体１２の開口を形成し、ここにポンプユニット１０のシャフトケース１６を摺動可能に挿通させたものである。
【００１３】
容器本体１２の口部１２ａ内には、容器本体１２内部に向かって取り付けられる合成樹脂製のケース１７が取り付けられており、ブッシュキャップ１５はこのケース１７を介して口部１２ａに取り付けられている。そして、特に内筒部１５ｂは、ケース１７の内周面に嵌着してこれに固定されたものとなっている。また、ケース１７には、空気孔１８が形成され、この空気孔１８により容器本体１２内が、ブッシュキャップ１５の内筒部とシャフトケース１６との間の間隙を通じて外部に連通し、容器本体１２内の液容量の変化に対していわゆる「へこみ」が生ずるのを防止している。また、このブッシュキャップ１５の上部外周には、後述するピストンヘッド２０の内周面に刻設された雌ねじ部２０ａと係合する雄ねじ部１５ｃが形成されている。これら雌ねじ部２０ａと雄ねじ部１５ｃとで係合部を構成している。
【００１４】
ポンプユニット１０は、前記ケース１７と、このケース１７内に挿通された状態で配置される合成樹脂製のベローズユニット１９と、このベローズユニット１９に装着される合成樹脂製のピストンヘッド２０とを備えてなるものである。ベローズユニット１９は、容器本体１２内に挿入されて容器本体１２内の液を容器本体１２外に吸い出すためのものである。このベローズユニット１９には、容器本体１２内に挿入される吸い込みパイプ２１が設けられている。この吸い込みパイプ２１は、その下端の吸い込み端２１ａが斜めにカットされて形成されたものである。尚、ピストンヘッドには吐出口２０ｂが設けられている。
【００１５】
吸い込みパイプ２１の上端側には、ケース１７内に延び方向に復帰可能な蛇腹状のベローズ２２が連通した状態で接続されている。このベローズ２２は、押圧することによって容易に圧縮し、内部の容積を減少するとともに、押圧力を解除されると、元の状態すなわち延び方向に容易に復帰し、内部の容積を増加するよう構成された低密度ポリエチレン製のもので、所定のバネ定数を備えたものである。
【００１６】
ベローズ２２の上端側には、前記シャフトケース１６が圧入によって固着されている。また、ベローズ２２の上流側、すなわち吸い込みパイプ２１とベローズ２２との間には、容器本体１２からベローズ２２内への液の流入のみを許容する吸い込み弁２３が設けられている。
吸い込み弁２３は、吸い込みパイプ２１に一体成形された弁室２４を備えて形成されたものである。
【００１７】
弁室２４内には、吸い込みパイプ２１の吸い込み端２１ａあるいはベローズ２２の上部のケース１７との圧入部２２ｂの上部開口側から挿入可能な弁体２５が挿入されている。この弁体２５は、合成樹脂製であって下流側（シャフトケース１６側）に向かって開いたおわん型のものであり、その外周面が弁室２４の内周面に密接することで液の逆流を防止している。尚、この弁体２５については、弁室２４を閉塞できるものであれば、球状や半球状等のものでもよくその形状は特に限定されない。
【００１８】
吸い込み弁２３の弁体２５の上流側にはロッド部２５ａが形成され、ロッド部２５ａよって弁体２５の姿勢が安定するようになっている。
吸い込み弁２３の弁体２５には、その周縁にＶ字状の切欠部２５ｂが形成され、この切欠部２５ｂにより、開弁時に速やかに液が抜け出るようになっている。
【００１９】
シャフトケース１６は、ベローズ２２の上端の圧入部２２ｂに圧入されることにより、ベローズ２２と内部が連通するパイプ状のもので、上端にはピストンシャフト２８が移動可能に内挿されている。シャフトケース１６には、その外周面の中央部付近に、外側に延出しケース１７の内周面に摺接する大径部２９が形成されている。この大径部２９の上部には、図２に示すように前記ブッシュキャップ１５の内筒部１５ｂの下端面に当接する抜け止めのストッパー３０が設けられている。ここで、大径部２９には摺動をスムーズに行うため上下にリップ部２９ａ、２９ｂが形成されている。また、大径部２９のリップ２９ａ，２９ｂ間で非使用時には前記空気孔１８が閉塞され、容器本体１２内の液容量の変化が生じない非使用状態での無用な空気孔１８の開放を阻止している。
【００２０】
ピストンシャフト２８は、図３に示すように下部外周面にネジ部３１を備え、シャフトケース１６の上部内周面に形成されたネジ部３２に着脱可能に係止するよう構成されたものであり、これらネジ部３１，３２により係止部が構成されている。これらネジ部３１，３２によりシャフトケース１６からピストンシャフト２８を引き出した状態で両者が一体化して使用されるようになっている。
【００２１】
そして、ピストンシャフト２８は前記ピストンヘッド２０が取り付けられたサブピストン３３を備えている。図４に示すように、サブピストン３３はピストンヘッド２０を押圧する際のベローズ２２の圧縮動作に先立ってピストンシャフト２８に対して所定ストロークＨだけ移動することでピストンシャフト２８の上部筒状部２８ａに形成された連通孔２８ｂを開放するものである。この連通孔２８ｂが開放されることにより吐出流路（図４に矢印で示す）が開放される。
【００２２】
具体的にはピストンシャフト２８の上部筒状部２８ａに対してサブピストン３３の下部筒状部３３ａが外嵌され、サブピストン３３を所定ストロークＨだけ下げるとサブピストン３３の下部筒状部３３ａの段差部分３３ｂが前記連通孔２８ｂを通過し、より直径の大きい筒状部３３ｃが連通孔２８ｂに距離をもって対向することになるため、連通孔２８ｂは開放されるのである。尚、前記シャフトケース１６、ピストンヘッド２０、ピストンシャフト２８がピストン本体を構成し、ピストン本体とサブピストン３３とでピストン部を構成する。
【００２３】
ここで、ピストンシャフト２８にはカップ状の付勢部材３４が設けられ、この付勢部材３４がピストンヘッド２０を上方に付勢するようになっている。この付勢部材３４により連通孔２８ｂを閉塞するようにピストンシャフト２８とサブピストン３３とに付勢力を付与している。尚、この付勢部材３４はベローズ２２よりもバネ定数が小さく設定されている。
また、ピストンシャフト２８の上部筒状部２８ａには前記付勢部材３４を支持する部分に大径部２８ｃが形成され、前記サブピストン３３の段差部分３３ｂに対する抜け止め部として機能し、サブピストン３３がピストンシャフト２８から抜けるのを防止している。
【００２４】
次に、作用について説明する。
輸送時においては、図３に示すようにピストンシャフト２８のネジ部３１とシャフトケース１６のネジ部３２とは係止していないため、図５に示すようにピストンシャフト２８をシャフトケース１６の内部に挿入し、ピストンヘッド２０の雌ねじ部２０ａをブッシュキャップ１５の雄ねじ部１５ｃにねじ込んでピストンヘッド２０をブッシュキャップ１５に固定する。これによって、ピストンヘッド２０が押圧されることがないため、内部の液が吐出口２０ｂから外部に漏れ出すことはない。
【００２５】
また、このときピストンシャフト２８がシャフトケース１６と分断されており、ピストンシャフト２８の押し込み動作がベローズ２２に何らの圧縮方向の力を付与しないため、長時間の輸送の間圧縮されベローズ２２がへたりを生ずるような不具合が発生することはない。
さらに、ピストンシャフト２８が外部に露出しないため、汚れから保護することができる。また、このときに容器本体１２を踏みつけたような場合に、ピストンシャフト２８内に圧力がかかったとしても、図４に示すようにサブピストン３３の下部筒状部３３ａが連通孔２８ｂを閉鎖している状態であるので、吐出口２０ｂからの液の外部流出を確実に防止することができる。
【００２６】
次に、利用者が図５に示す状態にある容器１１を使用状態にするには、ピストンヘッド２０をブッシュキャップ１５から外し、前記ピストンシャフト２８をシャフトケース１６から引き出し、ピストンシャフト２８のネジ部３１とシャフトケース１６のネジ部３２とを係止させるべくねじ込んで両者を一体化すれば、図１に示すように容器１１は使用状態となる。
【００２７】
そして、ピストンヘッド２０を付勢部材３４に抗して押圧すると、ベローズ２２が圧縮されるのに先立って、図４に示すサブピストン３３がピストンシャフト２８に対して所定ストロークＨだけスライドし連通孔２８ｂを開放する。
この状態で、更にサブピストン３３、ピストンシャフト２８及びシャフトケース１６が押圧されるとベローズ２２が圧縮し、ベローズ２２内の空気は圧縮されるが吸い込み弁２５は閉じるので、ベローズ２２内の空気は前記連通孔２８ｂを経て吐出口２０ｂから容器本体１２外に吐き出される（図６参照）。
【００２８】
そして、ピストンヘッド２０を放すと付勢部材３４によりサブピストン３３がピストンシャフト２８に対して復帰し連通孔２８ｂを閉鎖すると共に圧縮が解除されたベローズ２２が延び方向に復帰するためベローズ２２内は負圧になる。すると、吸い込み弁２５は開いて容器本体１２内から吸い込みパイプ２１によりべローズ２２内へと液が吸い込まれベローズ２２内に満たされる（図７参照）。
【００２９】
次に、この状態で付勢部材３４に抗して再度ピストンヘッド２０が押圧されると、前述と同様にベローズ２２の圧縮に先立ってサブピストン３３がピストンシャフト２８に対して所定ストロークＨだけスライドして連通孔２８ｂを開放する。そして、更にサブピストン３３、ピストンシャフト２８及びシャフトケース１６が押圧されるとベローズ２２が圧縮するため、吸い込み弁２５により容器本体１２内への逆流を阻止された液は開放された連通孔２８ｂを経て吐出口２０ｂから容器本体１２外にスムーズに吐き出される（図８参照）。したがって、スリットを用いた従来に比較して操作力が少なくて済む分取り扱いが容易となる。
【００３０】
したがって、ピストンヘッド２０を押圧しない限り連通孔２８ａが開放されることはないため、例えば、容器１１が転倒したような場合には勿論のこと、容器本体１２を踏みつけたような場合でも内部の液が吐出口２０ｂから外に漏れ出すようなことはない。
【００３１】
ここで、この発明は上記実施形態に限られるものではなく、以下のような様々な態様が採用可能である。尚、以下の説明において前記実施形態と同一部分については同一符号を付して説明は省略する。
図９に示すのは、図３に示したピストンシャフト２８のネジ部３１に替え、ピストンシャフト２８側にはフランジ部３１ａとフランジ部３１ａの周囲に弧状の断面を有する係止突条３１ｂを設け、これに対して、シャフトケース１６のネジ部３２に替えてシャフトケース１６側には係止突条３１ｂに対応する受け入れ部３２ａを設けたものである。この実施形態によれば係止する部分が弧状であるため両者を滑らかに係止することができる。
【００３２】
図１０に示すのは、図３に示したピストンシャフト２８のネジ部３１に替えてピストンシャフト２８側には乗り上げ面３１ｃと係止面３１ｄを、これに対して、シャフトケース１６のネジ部３２に替えて乗り上げ面３１ｃに対応する受け入れ斜面３２ｂを設け、更に係止面３１ｄ対応して係止面３２ｃを設けたものである。この実施形態によれば乗り上げ面３１ｃと受け入れ斜面３２ｂとにより更に小さな力で両者を係止することができる。
【００３３】
図１１に示すのは、図３に示したピストンシャフト２８のネジ部３１に替えてピストンシャフト２８側には環状の鋭い溝３１ｅを設け、これに対して、シャフトケース１６のネジ部３２に替えてシャフトケース１６側には溝３１ｅに対応する突条３２ｄとその下にネジ部３２ｅを設けたものである。このネジ部３２ｅは溝３１ｅの上下に設けたネジ部３２ｆに対応している。ここで、図１２に示すように、突条３２ｄはネジ部３２ｅよりも高く形成し、節度感をもって突条３２ｄと溝３１ｅが係止できるようになっている。
【００３４】
この実施形態によれば、ピストンシャフト２８とシャフトケース１６とを固定する場合には、ピストンシャフト２８を引き出せば、溝３１ｅに対して突条３２ｄが係止して両者をワンタッチで止めることができ、また、溝３１ｅから突条３２ｄを外した後、ピストンシャフト２８を回せばネジ部３２ｆとネジ部３２ｅとによりピストンシャフト２８とシャフトケース１６との係止状態を容易に解除することができる。
【００３５】
次に、図１３、図１４は、前記「へこみ」防止のための他の態様を示している。この実施形態では、空気孔１８をケース１７の大径部２９よりも上に設けている。また、シャフトケース１６には容器１１の非使用時においてブッシュキャップ１５の薄肉化した内筒部１５ｄの傾斜面１５ｅに当接するシール突起１６ａが設けられている。
【００３６】
この実施形態によれば、容器１１の非使用時においてはブッシュキャップ１５の薄肉化した内筒部１５ｄの傾斜面１５ｄに、シャフトケース１６のシール突起１６ａが当接するため、ブッシュキャップ１５の内周面とシャフトケース１６外周面との間からの空気の漏れを遮断でき、また、容器１１を使用する際に図示しないピストンヘッド２０を押圧し、シャフトケース１６が下がると上記ブッシュキャップ１５の傾斜面１５ｅとシャフトケース１６のシール突起１６ａとの当接が解除されるため、ブッシュキャップ１５の内周面とシャフトケース１６外周面との間からの空気の出入りが確保され、「へこみ」を防止することができる。
とりわけこの実施形態では、例えば、容器本体１２に外圧が作用した場合には内筒部１５ｄがシール突起１６ａに押し付けられるため、漏れを確実に防止できる点で有利である。
【００３７】
また、前記実施形態における付勢部材３４に替えて種々の付勢部材を使用することができる。例えば、１５図に示すように蛇腹状の付勢部材３４ａを用いることにより蛇腹の数を変化させることで、バネ定数のセッティングを容易に行うことができる。
また、図１６に示すように、ピストンヘッド２０の上部を開放して、ここに直径の大きい弧状の付勢部材３４ｂを組み込んだ蓋３４ｃを固定し、ピストンシャフト２８の上端部２８ｄを付勢部材３４ｂに当接させてもよい。このようにすれば大きめの付勢部材３４を用いることで付勢力のセッティングをきめ細かに行うことができ、組み付けも容易となる。
【００３８】
したがって、このような実施形態のポンプユニットを備えた容器１１においては、転倒しても液が漏れ出すことはなく、かつ操作性が良く、「へこみ」を確実に防止できる。
【００３９】
【発明の効果】
以上説明してきたように、請求項１に記載した発明によれば、ピストン部が押圧されない限り連通孔が開放されることはないため、容器が転倒したような場合には勿論のこと、容器本体を踏みつけたような場合でも内部の液が外に漏れ出すことがないという効果がある。
【００４０】
請求項２に記載した発明によれば、ピストンヘッドが押圧されない限り連通孔が開放されることはないため、容器が転倒したような場合には勿論のこと、容器本体を踏みつけたような場合でも内部の液が外に漏れ出すことがないという効果がある。また、このようにピストンシャフトをシャフトケースに挿入している場合にピストンシャフトの押し込み動作はベローズに何ら圧縮方向の力を付与しないため、ベローズがへたりを生ずるようなことはない。
【００４１】
請求項３に記載した発明によれば、上記効果に加え、係止部によるシャフトケースとピストンシャフトとの係止状態を解除することで、ピストンシャフトをシャフトケース内に挿入することができるため、再度輸送するような場合に小型化でき持ち運びに便利となる効果がある。
請求項４に記載した発明によれば、傾斜面にシャフトケースのシール突起が当接することにより、ブッシュキャップの内周面とシャフトケース外周面との間からの空気の漏れを遮断することができる。また、シャフトケースが下がるとブッシュキャップの傾斜面とシャフトケースのシール突起との当接が解除されるように構成することにより、ブッシュキャップの内周面とシャフトケース外周面との間からの空気の出入りを確保して「へこみ」を防止することができる。さらに、例えば容器本体に外圧が作用した場合には内筒部がシール突起に押し付けられるため、漏れを確実に防止することができる。
【００４２】
請求項５に記載した発明によれば、転倒しても踏みつけても液漏れが生じないため、取り扱い易いものとなる効果がある。
【図面の簡単な説明】
【図１】  第１実施形態のポンプユニットを装着した容器の全体断面図である。
【図２】  図１の空気孔付近の拡大断面である。
【図３】  図１のピストンシャフトをシャフトケースとの係止状態を示す拡大断面図である。
【図４】  図１のＡ部拡大図である。
【図５】  図１の容器の輸送状態を示す断面図である。
【図６】  ピストンヘッドを押し込んだ状態を示す作動説明図である。
【図７】  ピストンヘッドを放した状態を示す作動説明図である。
【図８】  ピストンヘッドを押し込んだ状態を示す作動説明図である。
【図９】  図３の他の実施形態の部分断面図である。
【図１０】  図３の別の実施形態を示す部分断面図である。
【図１１】  図３の更に他の実施形態を示す部分断面断面図である。
【図１２】  図１１の部分拡大図である。
【図１３】  空気孔付近の他の実施形態を示す部分断面図である。
【図１４】  図１３のＢ部拡大図である。
【図１５】  付勢部材の他の実施形態を示す断面図である。
【図１６】  ピストンヘッド付近の他の実施形態を示す部分断面図である。
【符号の説明】
１０  ポンプユニット
１２  容器本体
１２ａ  口部
１５ｃ  雄ねじ部（係合部）
１６  シャフトケース（ピストン部、ピストン本体）
２０  ピストンヘッド（ピストン部、ピストン本体）
２０ａ  雌ねじ部（係合部）
２１  吸い込みパイプ
２２  ベローズ
２３  吸い込み弁
２８  ピストンシャフト（ピストン部、ピストン本体）
２８ｂ  連通孔
３１，３２  ネジ部（係止部）
３３  サブピストン（ピストン部）
３４  付勢部材
Ｈ  所定ストローク
【図１】
0003652628.tif 000002
【図２】
0003652628.tif 000003
【図３】
0003652628.tif 000004
【図４】
0003652628.tif 000005
【図５】
0003652628.tif 000006
【図６】
0003652628.tif 000007
【図７】
0003652628.tif 000008
【図８】
0003652628.tif 000009
【図９】
0003652628.tif 000010
【図１０】
0003652628.tif 000011
【図１１】
0003652628.tif 000012
【図１２】
0003652628.tif 000013
【図１３】
0003652628.tif 000014
【図１４】
0003652628.tif 000015
【図１５】
0003652628.tif 000016
【図１６】
0003652628.tif 000017